(57)【要約】      （修正有）【課題】リモコンからのプリセットデータの制御を可能とし、限られたリモコンキー数でも多くの動作制御可能な電子機器を提供する。【解決手段】複数の遠隔操作装置から発信されるリモコンコード信号個々のリモコンキー動作に対応するリモコンキーコマンド信号群を受信する受信手段と、受信手段によって電子機器付属のリモコンと異なるリモコンからのリモコンコード信号を受信した場合にリモコンコード信号を一時記憶するための一時記憶手段と、複数のリモコンコード信号群とリモコンコード信号群の各々についてのリモコンキーコマンド信号群に対応する第一制御処理動作指令群とを記憶する記憶手段と、リモコンコード信号と記憶手段に記憶されたリモコンコード信号群とを順次比較し一致するリモコンコードを見つけるための検索手段と第一制御処理動作指令群と電子機器本体の機能のすべてに対応する第二制御処理動作指令群とを対応付けするキー割当手段を設ける。【選択図】図１
2008131285.tif 000002
【特許請求の範囲】
【請求項１】
複数の遠隔操作装置から発信されるリモコンコード信号個々のリモコンキー動作に対応するリモコンキーコマンド信号群を受信する受信手段と、前記受信手段によって電子機器付属のリモコンと異なるリモコンからのリモコンコード信号を受信した場合に該リモコンコード信号を一時記憶するための一時記憶手段と、複数のリモコンコード信号群と該リモコンコード信号群のそれぞれについてのリモコンキーコマンド信号群に対応する第一制御処理動作指令群とをマトリックス状に記憶する記憶手段と、前記リモコンコード信号と前記記憶手段に記憶されたリモコンコード信号群とを順次比較し一致するリモコンコードを見つけるための検索手段と、前記第一制御処理動作指令群と電子機器本体の機能のすべてに対応する第二制御処理動作指令群とを対応付けするキー割当手段を有する電子機器において、
オンスクリーンディスプレイ用の信号を発生させる図形信号発生手段によって電子機器本体の機能のすべてまたはその一部を操作することが出来るバーチャルキー群を表す図形信号を発生させ、前記バーチャルキー群の個々のキー操作に応答してバーチャルキーコマンドを発生させるものであって、前記バーチャルキーコマンドそれぞれに対応する第三の制御処理動作指令群を生成し、且つ、前記記憶手段にマトリックス状に記憶する際に個々のリモコンコード信号に係わる行に対して前記第一制御処理動作指令群と前記第三制御処理動作指令群とを併用することを特徴とする電子機器。
【請求項２】
前記行に対して前記第一制御処理動作指令群と前記第三制御処理動作指令群が重複しないように併用する請求項１に記載の電子機器。
【請求項３】
前記リモコンコード信号に係わる行のうち特定の行のみ動作させることができる請求項１又は２に記載の電子機器。
【発明の詳細な説明】
【技術分野】
【０００１】
本考案は、リモコンで制御される電子機器に関し、特に複数のリモコンコード信号を予め電子機器本体に記憶しておき、複数のリモコンコード信号で制御される電子機器に関する。
【背景技術】
【０００２】
リモートコントロール可能な電子機器は、電子機器毎にリモコン制御コードも異なり、リモコン送信機も、電子機器毎に設けられているのが一般的である。従って、例えば、テレビジョン受信機の専用リモコン送信機を操作しても、ＤＶＤプレーヤは動作しない。そのため、テレビジョン受信機をＤＶＤプレーヤに接続して、テレビジョン受信機及びＤＶＤプレーヤを同時に動作させるためには、テレビジョン受信機及びＤＶＤプレーヤのそれぞれの専用のリモコン送信機を操作する必要があり、使い勝手が悪い。そこで、かかる問題を解決するため、学習機能を備えたリモコン送信機が発明されている。これは、受信機側の受信信号コードはそのままにして、送信機側の送信信号コードを学習リモコン送信機に記憶させ、この学習リモコン送信機から電子機器の受信部にリモコン信号を送信して遠隔制御するものである。従って、このような学習リモコン送信機を使用すれば、１個の送信機で、複数の電子機器を同時に動作させることが可能となる。
【０００３】
特許文献１には、予め他社のリモコン送信機のリモコンコードが格納されており、電子機器本体に設けられたキー群によってメニュー表示キーを操作すると各社のリモコン送信機の一覧画面が表示され、前記電子機器本体のキー群によって所望のリモコン送信機を選択してそのリモコンで電子機器本体を制御可能にすることが可能な技術が開示されている。
【特許文献１】特開平２００２−３００４２０
【発明の開示】
【発明が解決しようとする課題】
【０００４】
しかし、特許文献１に記載の技術では、電子機器本体のキー操作にて、画面上にメニューリストを表示して、本体キーによって電子機器本体を制御する他社リモコンコードを設定できるが、本体キーでしかメニュー操作が出来ないという課題が残る。また、プリセットされていないキーコードを学習させることは出来るがプリセットされていない機能や、学習させたいリモコンに電子機器本体を制御するキーがない場合には、電子機器を制御できないという課題も残る。本発明は、リモコンからのプリセットデータの制御を可能とし、更に限られたリモコンキー数でも多くの動作制御可能な電子機器を提供することを目的とする。
【課題を解決するための手段】
【０００５】
電子機器において、複数の遠隔操作装置から発信されるリモコンコード信号個々のリモコンキー動作に対応するリモコンキーコマンド信号群を受信する受信手段と、前記受信手段によって電子機器付属のリモコンと異なるリモコンからのリモコンコード信号を受信した場合に該リモコンコード信号を一時記憶するための一時記憶手段と、複数のリモコンコード信号群と該リモコンコード信号群のそれぞれについてのリモコンキーコマンド信号群に対応する第一制御処理動作指令群とをマトリックス状に記憶する記憶手段と、前記リモコンコード信号と前記記憶手段に記憶されたリモコンコード信号群とを順次比較し一致するリモコンコードを見つけるための検索手段と、前記第一制御処理動作指令群と電子機器本体の機能のすべてに対応する第二制御処理動作指令群とを対応付けするキー割当手段を有し、オンスクリーンディスプレイ用の信号を発生させる図形信号発生手段によって電子機器本体の機能のすべてまたはその一部を操作することが出来るバーチャルキー群を表す図形信号を発生させ、前記バーチャルキー群の個々のキー操作に応答してバーチャルキーコマンドを発生させるものであって、前記バーチャルキーコマンドそれぞれに対応する第三の制御処理動作指令群を生成し、且つ、前記記憶手段にマトリックス状に記憶する際に個々のリモコンコード信号に係る行に対して前記第一制御処理動作指令群と前記第三制御処理動作指令群とを併用する。
【０００６】
電子機器において、前記行に対して前記第一制御処理動作指令群と前記第三制御処理動作指令群が重複しないように併用する。
【０００７】
電子機器において、前記リモコンコード信号に係わる行のうち特定の行のみ動作させる。
【０００８】
前記の通り構成することにより、専用のリモコン制御コード信号以外でも、リモコン制御コード信号を受信するたびにリモコンフォーマットを認識してそれに対応して電子機器を動作制御し、リモコンではなく電子機器本体が学習リモコン機能を持つように作用する。
また、バーチャルキーによって動作制御することで、動作制御数よりもリモコンキーが少ない場合でも、カーソル移動によって動作制御可能となるように作用する。
【発明の効果】
【０００９】
本発明は、リモコンからのプリセットデータの制御を可能とし、更に限られたリモコンキー数でも多くの動作制御可能な電子機器を提供することを目的とする。
次に詳細に効果を述べる。
【００１０】
請求項１の発明によれば、電子機器本体に他メーカーのリモコンフォーマットに従うリモコン制御コード信号を予め記憶し複数のリモコンコードフォーマットに従うリモコン制御コード信号を持たせることにより、リモコン側での学習設定をする必要なく、電子機器の制御が可能となる。またバーチャルキー動作制御によってリモコンキー以外でも電子機器本体を制御することを可能にする。また電子機器付属以外のリモコンキーが該動作制御信号に一致しない場合にも割当手段によって制御することを可能にする。
【００１１】
請求項２に記載の発明によれば、リモコンキーとバーチャルキーの機能を重複させないことによって使用者の混乱を防ぐことが可能となる。
【００１２】
請求項３に記載の発明によれば、特定の行のみ動作させるように制御することで、動作して欲しくない機能を指定できる。
【発明を実施するための最良の形態】
【００１３】
以下、図面を参照しつつ、本発明の実施の形態について説明する。
【実施例】
【００１４】
図１は本発明をＤＶＤプレーヤに組み込んだ場合の電気的構成を示すブロック図である。通常の再生動作を次に説明する。再生部Ａは、ＤＶＤディスク１を光ピックアップ２で読み込むブロックであり、デコード部Ｂは、再生部Ａで読み取った符号化信号を、映像信号と音声信号をそれぞれ、映像デコーダー３、音声デコーダー４で復号する。次に複合化された信号は信号処理部Ｃに送られ、映像信号は映像信号処理部５で輝度や色処理がなされてアナログ映像出力部６に送られる。一方音声信号は、音声信号処理部７で処理され、アナログ音声出力部８およびデジタル音声出力部９それぞれに送られる。前記アナログ映像出力部６から出力された映像信号は表示手段１０に入力される。次に本発明にリモコンの学習動作にかかるブロックを次に説明する。遠隔操作装置１１によってリモコン制御コード信号が発信される。民生機器で最も一般的なリモコン制御コード信号の搬送波は、赤外線である。リモコン制御コード信号の到達距離を長く取る必要がある、つまり制御される電子機器を遠い場所からリモコン制御する場合には、FMラジオによる搬送波を用いられることが多い。前記遠隔操作装置１１から発信されたリモコン制御コード信号は、受信手段１２によって受光され、システム制御部ＦのＣＰＵブロックＥを介して一時記憶手段１４に一時的に記憶される。
【００１５】
ＣＰＵブロックＥはＤＶＤプレーヤの動作を制御する役割を担い、遠隔操作装置１１もしくは図示しないＤＶＤプレーヤ本体に配置される本体スイッチ群からのパワーオン/オフ、再生、早送り、後送り、スキップ、トレーオープン/クローズ、などの命令に従い、システム制御部Ｆの各ブロックを動作させ、再生部Ａおよび信号処理部Ｃの動作制御を行う。
【００１６】
記憶手段１５には、ＤＶＤプレーヤの専用リモコンフォーマットに従うリモコン制御コード信号と前記ＤＶＤプレーヤ専用リモコン以外の第二のリモコンフォーマットに従うリモコン制御コード信号と前記電子機器の動作制御との対応関係を表す制御処理マトリックスが予め記憶されている。記憶手段１５は、永久的に前記制御コードマトリックスを保持しなければならないので、電源を落としても記憶内容を保持する不揮発性メモリーであるＲＯＭを使うのが好ましい。また一時記憶手段１４は、受信されたリモコン制御コード信号を一時的に記憶するだけでいいので、ＲＡＭを使うのが好ましい。
【００１７】
検索手段１６は、記憶手段１５に予め記憶された制御コードマトリックスを参照しながら、一時記憶手段１４に記憶された第二のリモコンフォーマットに従うリモコン制御コード信号に対応する前記ＤＶＤプレーヤの専用リモコンフォーマットに従うリモコン制御コード信号を検索する。
【００１８】
次に検索手段１６によってＤＶＤプレーヤ専用リモコンフォーマットに従うリモコン制御コード信号が検索された場合には、一時記憶手段１４に記憶された制御処理マトリックスを参照しながら、前記検索されたＤＶＤプレーヤの専用リモコンフォーマットに従うリモコン制御コード信号に対応する動作制御に従ってＤＶＤプレーヤの制御を行う。
【００１９】
応答設定手段１７は、ＤＶＤプレーヤの専用リモコンフォーマットに従うリモコン制御コード信号以外のリモコン制御コード信号に応答するかどうかを設定する。
【００２０】
キー割当手段１９は、例えばリモコンのすべてのリモコン制御コード信号が検索手段１６で対応リモコン制御コード信号が検索されなかった場合に、最低限のキー機能を対応リモコン制御コード信号が検索されなかったリモコン制御コード信号に割り当てるための手段である。
【００２１】
ＤＶＤプレーヤのすべての動作制御機能を一覧表示して、所望の動作制御機能にカーソルを移動させて決定することによって、リモコンの一部、もしくはすべてのリモコン制御コード信号が検索手段１６で対応リモコン制御コード信号が検索されなかった場合でも、ＤＶＤプレーヤのすべての動作制御を可能とする。
【００２２】
図形信号発生手段２１は、文字や図形を表す複数のキャラクター信号をマトリックスとして予め格納しており、どのキャラクター信号を引き出すかを表す信号がＣＰＵブロックから図形信号発生手段２１に送られる。
【００２３】
ＣＰＵブロックからの指示に従って、図形信号発生手段２１は文字信号を映像信号処理部５に出力する。
【００２４】
映像信号処理部５は図示されない重畳手段を有し、ＤＶＤディスク１から再生された映像信号に対して文字信号をスーパーインポーズする。またＤＶＤディスク１からの再生信号をすべてブランクして文字信号のみを出力することも可能である。
【００２５】
図２は記憶手段１５に予め記憶されている制御コードマトリックスを表す。２０１は、ＤＶＤプレーヤの動作制御機能を表している。表の動作処理は一例であり、これに限るものではない。２０２は、製品情報であるメーカー名、カテゴリー、モデルナンバーを表す。マトリックス２行目の２０３は、動作制御機能２０１および製品情報２０２のそれぞれに対するＤＶＤプレーヤのコードを表す。マトリックスの上から３行目以下の２０４は、動作制御機能２０１および製品情報２０２に対応する、ＤＶＤプレーヤ専用リモコンコード以外のリモコンコードを搭載する電子機器のリモコンコードを表す。
【００２６】
図３は本発明における応答設定手段と動作制御対象設定手段の設定動作にかかるフローチャートを表す。また図４は動作制御設定するための画面表示を表す。これらの設定は、ＤＶＤプレーヤ専用リモコンによって行う。図１、図３、および図４を参照して動作を次に説明する。遠隔操作装置１１から図示されないリモコンキーによってリモコン制御コード信号が発信され、受信手段１２によって受信されて、ＤＶＤプレーヤ専用リモコン制御コード信号以外のリモコン制御コード信号に反応するかしないかを応答設定手段１７によって設定する（ステップＳ３０１）。
【００２７】
バーチャルキーを起動するかどうかを設定し（ステップＳ３０２）、設定した場合は操作キーの割り当てを行なう（ステップＳ３０３）。
【００２８】
次に本発明の実行動作を図４のフローチャートを元に、図１のブロック図も併せて参照しながら説明する。
【００２９】
遠隔操作装置１１によってリモコン制御コード信号が発信されて（ステップＳ４０１）、受信手段１２によって受信される（ステップＳ４０３）。受信されたリモコン制御コード信号はＣＰＵブロックＥを介して一時記憶手段１４に一時記憶される（ステップＳ４０３）。ＣＰＵブロックＥは、一時記憶したリモコン制御コード信号がＤＶＤプレーヤの専用リモコンフォーマットかどうかを判断し（ステップＳ４０４）、専用リモコンフォーマットであれば、そのままＤＶＤプレーヤの動作制御に移行する（ステップＳ４１２）。
【００３０】
ステップＳ４０４でＤＶＤプレーヤ専用リモコンフォーマットではないと判断された場合は、記憶手段１５から制御コードマトリックスを読み出して（ステップＳ４０５）、一時記憶手段１４に一時記憶されたリモコン制御コード信号が制御コードマトリックスに存在するかどうかを検索する（ステップＳ４０６）。
【００３１】
ステップＳ４０７で一時記憶手段１４のリモコン制御コード信号に対応するＤＶＤプレーヤ専用リモコン制御コード信号があると判断されれば、動作制御マトリックス上の動作制御に従って動作制御される（ステップＳ４１２）。
【００３２】
ステップＳ４０７で一時記憶手段１４のリモコン制御コード信号に対応するＤＶＤプレーヤ専用リモコン制御コード信号がないと判断されれば、図形信号発生手段２１から文字信号が出力され、映像信号処理部５およびアナログ映像出力部６を経由して表示手段１０に図５に表す画面表示がされる（ステップＳ４０８）。これは使用者に現行のリモコンではＤＶＤプレーヤの動作制御が不可能であることを告知し、またバーチャルキー操作を行うかどうかを図５のように使用者に対して促す。図６はキー割り当てを行なうための操作画面であり、図示されない遠隔操作装置１１の左右キーによって６０１のYESのチェックボックスを選択して決定キーを押下することによってバーチャルキー設定オンとなる（ステップＳ４０９）。一方、ＮＯのチェックボックスを選択して決定キーを押下すればＤＶＤプレーヤは動作制御されないままとなる。バーチャルキー操作を行うキーは、電子機器本体に設けられたフロントパネルキーでも制御可能であり、またリモコンキーであれば十字キーでカーソルを移動させて十字キーの中心にキーを設けてこれをエンターキーとすることも可能であり、ＣＰＵブロックに指令可能なインターフェースであればいずれの方法でも制御可能である。
【００３３】
次にステップＳ４０９でＹＥＳを選択決定すれば、バーチャルキー操作を行うためのキー割当が済んでいるかどうかの判断が行われ（ステップＳ４１０）、図形信号発生手段２１から文字信号が出力されて映像信号処理部５およびアナログ映像出力部６を介して表示手段１０に出力されて、図７に表すバーチャルキー操作画面が表示される。
【００３４】
７０１のカーソル矢印を、図示されないリモコン１１の左右キーによって所望の動作制御機能に移動されて、同様に図示されないリモコン１１の決定キーを押下することによって動作制御が行われる。一方、ステップＳ４１０で操作キーが設定されていなければ、操作キー割当動作に移行する（ステップＳ４１１）。
【００３５】
ステップＳ４１１に移行すると、図形信号発生手段２１から文字信号が出力されて映像信号処理部５およびアナログ映像出力部６を介して表示手段１０に出力されて、図６に表す操作キー割当画面が表示される。図６の左側のキー１からキー５が現在使用しているＤＶＤプレーヤ専用リモコン以外のリモコンキーを表し、右側がＯＳＤ操作を行うための最低限の機能が数字を割り当てられて表示される。ボックス６０１内に遠隔操作装置１１の図示されない数字キーを押下することによって、ボックス内に数字が表示されて、前記数字に対応するバーチャルキー操作用割り当て機能が割り当てられる。例えば、キー１のボックスに対して数字キー３を入力すれば、キー１はカーソル左移動の機能を割り当てられる。
【００３６】
本願においては、電子機器本体の全動作処理制御をバーチャルキーによって操作できるように設計することが好ましいが、通常リモコンで操作することが常であるような動作制御処理、例えば、電源オンオフや音量調整などの動作制御処理はバーチャルキーの操作から外して設計することも可能である。
【図面の簡単な説明】
【００３７】
【図１】本発明に係る実施例のブロック図を表す。
【図２】本発明に係る動作制御マトリックスを表す。
【図３】本発明に係る設定フローチャートを表す。
【図４】本発明に係る実行フローチャートを表す。
【図５】本発明に係るメッセージ表示画面を表す。
【図６】本発明に係るバーチャル操作キー割当画面を表す。
【図７】本発明に係るバーチャル操作制御画面を表す。
【符号の説明】
【００３８】
１１  遠隔操作装置
１２  受信手段
１４  一時記憶手段
１５  記憶手段
１６  検索手段
１９  キー割当手段
２０  割当手段
２１  図形信号発生手段
【図３】
2008131285.tif 000003
【図４】
2008131285.tif 000004
【図５】
2008131285.tif 000005
【図６】
2008131285.tif 000006
【図７】
2008131285.tif 000007
【図１】
2008131285.tif 000008
【図２】
2008131285.tif 000009